(57)【要約】【課題】会員認証の際における会員の操作の負担を軽減することができる会員認証方法を提供する。【解決手段】読み取った会員カードの会員識別コードをカード発行企業に対する企業会員識別情報に変換し、企業会員識別情報を含む情報をエンコードして暗号コードを生成し、暗号コードをデコードすることにより会員識別コードを抽出して表示し、この会員識別コードを読み取る一方、会員カードの会員識別コードを読み取り、これらの会員識別コードを比較することにより会員を認証する。【選択図】図３
2014137727.tif 000002
【特許請求の範囲】
【請求項１】
会員カードの会員識別コードを会員側携帯端末が読み取り、カード発行企業に対する企業会員識別情報に変換する第１段階と、
会員側携帯端末が前記企業会員識別情報を含む情報をエンコードして暗号コードを生成する第２段階と、
生成した暗号コードを前記会員側携帯端末が表示する第３段階と、
会員側携帯端末が表示している暗号コードをカード発行企業の店舗側携帯端末が読み取ってデコードすることにより前記会員識別コードを抽出して表示する第４段階と、
店舗側携帯端末が表示している会員識別コードをカード発行企業の店舗コンピュータが読み取る一方、前記会員カードの会員識別コードを読み取り、これらの会員識別コードを比較することにより会員を認証する第５段階と、
前記店舗コンピュータが会員を認証したとき、認証結果を店舗側携帯端末に送信する第６段階と、を備えていることを特徴とする会員認証方法。
【請求項２】
前記第６段階で会員を認証したとき、前記店舗コンピュータが前記会員識別コードを記録する第７段階をさらに備えていることを特徴とする請求項１記載の会員認証方法。
【請求項３】
前記第１段階では、前記会員側携帯端末は前記会員識別コードの読み取りに代えて、会員識別コードに対応した会員識別ＩＤの入力が可能となっていることを特徴とする請求項１または２記載の会員認証方法。
【請求項４】
会員識別コード及び会員識別ＩＤが表示された会員カードと、会員側携帯端末と、カード発行企業の店舗コンピュータと、この店舗コンピュータと通信可能な店舗側携帯端末とを備えたシステムであって、
前記会員側携帯端末は、前記店舗側携帯端末との送受信が可能な送受信部と、前記会員カードの識別コードを読み取る読取部と、読み取った会員識別コードを前記カード発行企業に対する企業会員識別情報に変換する変換部と、前記企業会員識別情報を含む情報に基づいて暗号コードを生成するエンコード部と、このエンコード部が生成した暗号コードを表示する表示部と、前記暗号コードを記録する記録部とを備え、
前記店舗側携帯端末は、前記店舗コンピュータ及び会員側携帯端末との送受信が可能な送受信部と、前記会員側携帯端末が表示している暗号コードを読み取る読取部と、読み取った暗号コードをデコードすることにより前記会員識別コードを抽出するデコード部と、抽出した会員識別コードを表示する表示部と、を備え、
前記店舗コンピュータは、前記店舗側携帯端末と送受信が可能な送受信部と、前記店舗側携帯端末が表示している会員識別コード及び前記会員コードの会員識別コードを読み取る読取部と、読み取った店舗側携帯端末の会員識別コードと会員コードの会員識別コードとを比較し、これらが一致したとき会員を認証する認証部と、を備えていることを特徴とする会員認証システム。
【請求項５】
前記店舗コンピュータは、前記認証部が会員を認証したとき、前記会員識別コードを記録する記録部をさらに備えていることを特徴とする請求項４記載の会員認証システム。
【請求項６】
前記会員側携帯端末は、前記会員コードの会員識別ＩＤを入力する入力部をさらに備えていることを特徴とする請求項４または５記載の会員認証システム。
【発明の詳細な説明】
【技術分野】
【０００１】
本発明は、会員認証、特にセキュリティを向上させた会員認証を行う際に、会員の煩わしさを解消することが可能な会員認証方法及び会員認証システムに関する。
【背景技術】
【０００２】
商品販売システムにおいては、顧客を会員として登録し、会員が商品を購入する際にポイントを加算して次回の購入の便とすることがなされている。このようなポイント加算式の商品販売システムにおいては、会員が店舗で商品を購入する際に正規の会員であるか否かの認証を行う場合がある。
【０００３】
会員の認証はカード発行企業が各会員に発行した会員カードに基づいて行われる。すなわち会員カードにバーコード表示してある会員識別コードを店舗コンピュータが読み取ることにより会員の認証が行われるが、会員カードやバーコードは偽造され易い問題がある。また、会員の認証は、会員カードを店舗に持参して行われるため、会員カードを持参していない場合や盗難等によって紛失した場合には、認証ができず、ポイントを利用することができない問題がある。このため偽造されにくい会員認証を行ったり、会員カードを持参しない場合でも会員認証を行うことが要求されており、携帯端末を用いた会員認証を行うシステムが開発されている。
【０００４】
特許文献１には、会員カードを不要とし、しかもセキュリティを向上させた会員認証システムが開示されている。
【０００５】
特許文献１の会員認証システムでは、会員は予め携帯端末を用いて本部側のサーバーに会員登録しておき、その後に会員認証が必要となったとき、携帯端末によって認証要求を行うものである。会員登録の際には、固定ＩＤ、パスワード、ワンタイムＩＤを個人情報と関連付けてサーバーのデータベース内に格納しておくものである。
【０００６】
特許文献１においては、店舗での会員認証が必要となったとき、会員は携帯端末を用いネットワークを介して本部側のサーバーにアクセスする。このことによりサーバーは送信情報とデータベース内の情報とを比較して認証し、認証が成立したとき、ワンタイムＩＤを作成する。サーバーは作成したワンタイムＩＤをドットマトリックス等の電子画像にエンコードし、エンコードした電子画像を携帯端末に送信する。携帯端末は電子画像を表示し、店舗コンピュータがこの電子画像を画像解析し、本部側のサーバーに送信してサーバーによる認証を要求する。そして認証が成立したとき、携帯端末に格納されているポイントを店舗で使用することが許可される。
【０００７】
このような構成では、認証の際に時間を基準としたワンポイントＩＤを用いるため、ＩＤ有効期間が短く、複製や偽造によるワンポイントＩＤの生成が不可能となり、セキュリティを向上させることができる。
【先行技術文献】
【特許文献】
【０００８】
【特許文献１】特開２００９−７６０８２号公報
【発明の概要】
【発明が解決しようとする課題】
【０００９】
しかしながら、特許文献１の認証システムでは、会員の携帯端末がサーバーにアクセスして認証を行うため、会員による携帯端末への操作が必要であり、会員に対して携帯端末への操作の負担が増大し、認証が煩わしいものとなる。特に、会員が操作に不慣れの場合には、認証に長時間を要し、実用的でない問題がある。また、会員の携帯端末は、ネットワーク通信が可能な機能を必要とするため、機種が限定される問題がある。また、店舗コンピュータに対してバーコード以外の他の電子画像の画像解析機能が要求されるため、既存の店舗コンピュータを使用することができず、画像解析機能を有した店舗コンピュータに交換或いはバージョンアップする必要がある。
【００１０】
本発明は、このような従来の問題点を考慮してなされたものであり、セキュリティを向上させた会員認証を行うことができるのに加えて、認証の際における会員の操作の負担を軽減することができ、煩わしさを解消することが可能で、しかも既存の店舗コンピュータによって認証することができる会員認証方法及び会員認証システムを提供することを目的とする。
【課題を解決するための手段】
【００１１】
本発明の会員認証方法は、会員カードの会員識別コードを会員側携帯端末が読み取り、カード発行企業に対する企業会員識別情報に変換する第１段階と、会員側携帯端末が前記企業会員識別情報を含む情報をエンコードして暗号コードを生成する第２段階と、生成した暗号コードを前記会員側携帯端末が表示する第３段階と、会員側携帯端末が表示している暗号コードをカード発行企業の店舗側携帯端末が読み取ってデコードすることにより前記会員識別コードを抽出して表示する第４段階と、店舗側携帯端末が表示している会員識別コードをカード発行企業の店舗コンピュータが読み取る一方、前記会員カードの会員識別コードを読み取り、これらの会員識別コードを比較することにより会員を認証する第５段階と、前記店舗コンピュータが会員を認証したとき、認証結果を店舗側携帯端末に送信する第６段階と、を備えていることを特徴とする。
【００１２】
上記発明において  前記第６段階で会員を認証したとき、前記店舗コンピュータが前記会員識別コードを記録する第７段階をさらに備えていることが好ましい。
【００１３】
また、前記第１段階では、前記会員側携帯端末は前記会員識別コードの読み取りに代えて、会員識別コードに対応した会員識別ＩＤの入力が可能となっていることが好ましい。
【００１４】
本発明の会員認証システムは、会員識別コード及び会員識別ＩＤが表示された会員カードと、会員側携帯端末と、カード発行企業の店舗コンピュータと、この店舗コンピュータと通信可能な店舗側携帯端末とを備えたシステムであって、前記会員側携帯端末は、前記店舗側携帯端末との送受信が可能な送受信部と、前記会員カードの識別コードを読み取る読取部と、読み取った会員識別コードを前記カード発行企業に対する企業会員識別情報に変換する変換部と、前記企業会員識別情報を含む情報に基づいて暗号コードを生成するエンコード部と、このエンコード部が生成した暗号コードを表示する表示部と、前記暗号コードを記録する記録部とを備え、前記店舗側携帯端末は、前記店舗コンピュータ及び会員側携帯端末との送受信が可能な送受信部と、前記会員側携帯端末が表示している暗号コードを読み取る読取部と、読み取った暗号コードをデコードすることにより前記会員識別コードを抽出するデコード部と、抽出した会員識別コードを表示する表示部と、を備え、前記店舗コンピュータは、前記店舗側携帯端末と送受信が可能な送受信部と、前記店舗側携帯端末が表示している会員識別コード及び前記会員コードの会員識別コードを読み取る読取部と、読み取った店舗側携帯端末の会員識別コードと会員コードの会員識別コードとを比較し、これらが一致したとき会員を認証する認証部と、を備えていることを特徴とする。
【００１５】
上記発明において、前記店舗コンピュータは、前記認証部が会員を認証したとき、前記会員識別コードを記録する記録部をさらに備えていることが好ましい。
【００１６】
また、前記会員側携帯端末は、前記会員コードの会員識別ＩＤを入力する入力部をさらに備えていることが好ましい。
【発明の効果】
【００１７】
本発明によれば、会員側携帯端末が暗号コードを生成し、この暗号コードに基づいて会員認証を行うため、セキュリティが向上した認証が可能である。また、会員側携帯端末は暗号コードを表示するだけであり、この表示状態に対して店舗側携帯端末が暗号コードを読み取って店舗コンピュータが認証を行うため、認証の際における会員側携帯端末への操作負担が軽減され、認証時の煩わしさを解消することができ、しかも会員側携帯端末に対してネットワーク通信機能が要求されることがないため、会員側携帯端末の選択の自由度が拡大する。さらに店舗コンピュータは店舗側携帯端末が表示している会員識別コード及び会員カードの会員識別コードを読み取るだけであるから、交換やバージョンアップが不要となり、既存の店舗コンピュータをそのまま用いることができる。
【図面の簡単な説明】
【００１８】
【図１】本発明の一実施形態の会員認証システムを示すブロック図である。
【図２】会員認証システムの要部を示すブロック図である。
【図３】会員認証を行うためのシーケンスである。
【図４】２回目以降の会員認証のシーケンスである。
【図５】会員側携帯端末が格納している複数のカード発行企業を表示した状態を示す正面図である。
【図６】会員側携帯端末が暗号コードを表示している状態を示す正面図である。
【図７】店舗側携帯端末が暗号コードを読み取った状態を示す正面図である。
【図８】暗号コードをデコードした会員識別コードを示す正面図である。
【図９】認証された会員識別コードを示す正面図である。
【図１０】２回目以降の認証の際に会員側携帯端末が表示する暗号コードを示す正面図である。
【図１１】２回目以降の認証の際に店舗側携帯端末が読み取った暗号コードを示す正面図である。
【図１２】２回目以降の認証の際に暗号コードをデコードした会員識別コードを示す正面図である。
【発明を実施するための形態】
【００１９】
以下、本発明を図示する実施形態により具体的に説明する。図１は本発明の一実施形態の会員認証システムの全体構成を示すブロック図、図２は図１の要部を示すブロック図である。
【００２０】
図１に示すように、この実施形態の会員認証システムは、会員が所有している会員側携帯端末２と、カード発行企業が運営している各店舗に備えられた店舗コンピュータ６と、店舗に備えられた店舗側携帯端末４とを備えている。カード発行企業は各会員に対して会員カード７を発行しており、各会員は発行された会員カードを所有している。
【００２１】
各店舗の店舗コンピュータ６は例えば、ＰＯＳレジ等のＰＯＳ端末を用いることができ、それぞれの店舗コンピュータ６がカード発行企業の本部に設けられたサーバー３と接続されてサーバー３とのデータのアクセスが行われる。各店舗コンピュータ６は読取部６２（図２参照）としてのバーコードリーダー６ａを備えており、会員カード７にバーコード表示されている会員識別コード７ａを読み取るようになっている。この実施形態においては、後述するようにバーコードリーダー６ａは会員カード７にバーコード表示されている会員識別コード７ａに加え、店舗側携帯端末４がバーコード表示している会員識別コードを読み取る。
【００２２】
店舗側携帯端末４は各店舗の店員が所持可能となっており、店員による操作によって店舗コンピュータ６との通信が行われる。会員認証の際には、店員が店舗側携帯端末４を所持して会員側携帯端末２とのアクセスを行うと共に店舗コンピュータ６とのアクセスを行う。
【００２３】
会員側携帯端末２及び店舗側携帯端末４としては、市販のスマートフォン、ｉｐｈｏｎｅ、ｉｐｏｄ、タブレット（いずれも登録商標）、その他の携帯端末を使用することができる。
【００２４】
図２は会員の認証を行うためのブロック図を示す。会員認証を含む通常の取引時において、店舗側携帯端末４は店舗コンピュータ６と通信可能となっている。会員の認証の際には、後述するように店舗側通信携帯端末４が会員側携帯端末２に対して１回アクセス（読み取り）するだけである。従って、会員が会員側携帯端末２を用いてサーバー３や店舗コンピュータ６とアクセスする必要がなく、会員認証の際の会員の操作負担を軽減することができる。
【００２５】
会員側携帯端末２は、読取部２１、変換部２２、エンコード部２３、表示部２４、記録部２５、入力部２６、送受信部２８及び制御部２９を有している。
【００２６】
読取部２１は市販の携帯端末に組み込まれたＣＣＤ等のカメラと同様な機能を有している。この実施形態において、読取部２１は会員カード７にバーコード表示されている会員識別コード７ａを読み取るために使用される。会員カード７にバーコード表示されている会員識別コード７ａは会員ＩＤ等の会員識別情報を含むものである。会員カード７としては、ポイント蓄積式のポイントカード、クレジットカード、その他のカードを選択することができる。
【００２７】
変換部２２は読取部２１が読み取った会員識別コードをカード発行企業に対する企業会員識別情報に変換する。会員側携帯端末２はその記録部２５内に複数のカード発行企業を格納しており、会員カード７と会員カード７を発行したカード発行企業とを関連付けるため、会員は会員カード７の読み取りの後、記録部２５内の複数のカード発行企業から会員カードに対応したカード発行企業を選択する。変換部２２は読取部２１が読み取った会員識別コードを、会員が選択したカード発行企業に関連付けることにより企業会員識別情報に変換するものである。
【００２８】
この場合、変換部２３は会員識別コードを企業会員識別情報と関連付けて変換するものであり、これにより企業会員識別情報が特定されると、会員識別コードも特定されるようになっている。例えば、会員識別コードが数字「１２３４５」であり、カード発行企業のコードが数字「６７」の場合、変換部２３はこれらを関連付けるように数字「１２３４５６７」に変換する。
【００２９】
エンコード部２３は変換部２３からの企業会員識別情報を含む情報を符号化することによりエンコードして暗号コードを生成する。暗号コードの生成は、例えばＯＴＰ（ワンタイムパスワード）を用いて行われる。ＯＴＰを用いた暗号コードとしては、例えば、企業会員識別情報が上述した数字「１２３４５６７」の場合、これに「９９９９」を加えて作成され、数字「１２３４５６７９９９９」となる。エンコード部２３はかかる数字をマトリックス型２次元コード（ＱＲコード（登録商標））、その他の電子画像に暗号化する。暗号コードとしてのＱＲコード（登録商標）は盗用や偽造が難しい電子画像であり、バーコードに比べてセキュリティを飛躍的に向上させることができる。
【００３０】
表示部２４は液晶パネル等によって形成されており、所定のデータを可視表示する。会員認証に際し、表示部２４はエンコード部２３が生成した暗号コード（ＱＲコード（登録商標））を表示する。
【００３１】
記録部２５はエンコード部２３が生成した暗号コード（ＱＲコード（登録商標））を記録する。すなわち記録部２５は会員識別コードに関連した企業会員識別情報を記録するものである。このように記録部２５が会員識別コードに関連した企業会員識別情報を記録することにより、会員カード７を一旦読み取った後においては、再度、会員カード７を読み取る必要がなくなる。この場合、記録部２５が複数のカード発行企業を記録している場合、記録部２５はそれぞれのカード発行企業毎に暗号コードを記録する。
【００３２】
入力部２６はメール文章等の入力のために用いられる。この実施形態において、入力部２６は読取部２１が会員カード７の会員識別コード７ａを読み取る代わりに用いられる。会員カード７には、会員識別コード７ａに加えて、会員識別コードに対応した会員識別ＩＤが数字、アルファベット等によって表示されており、入力部２６はこの会員識別ＩＤを入力するために用いられる。会員識別コードに代えて会員識別ＩＤ（例えば「１２３４５」）が入力されると、変換部２２はこの会員識別ＩＤに基づいて企業会員識別情報に変換し（例えば「１２３４５６７」）、エンコード部２３はこの企業会員識別情報を含む情報を符号化することによりエンコードして暗号コード（例えば「１２３４５６７９９９９」）を生成する。
【００３３】
送受信部２８は、ネットワーク等を介して他の会員側携帯端末２との通信、その他の通信を行うものである。会員認証において、送受信部２８は店舗側携帯端末４との通信を行うために用いられる。
【００３４】
制御部２９は会員側携帯端末２の全体の駆動を制御する。この実施形態において制御部２９は読取部２１の読み取り、変換部２２の変換、エンコード部２３の暗号コード生成、記録部２５の記録或いは記録消去、入力部２６の会員識別ＩＤの入力、送受信部２８による通信、その他の処理を制御する。
【００３５】
店舗側携帯端末４は、店舗コンピュータ６と通信が可能な携帯端末である。店舗の店員はこの店舗側携帯端末４を用いることにより会員の認証を行う。店舗側携帯端末４が携帯可能であることから、店員による認証場所や認証時間等に対する自由度を拡大することができ、認証が容易となる。
【００３６】
店舗側携帯端末４は、送受信部４１、読取部４２、表示部４３、デコード部４４及び制御部４５を有している。
【００３７】
送受信部４１は店舗コンピュータ６及び会員携帯端末２との通信を行うものである。また、送受信部４１はサーバー３やその他の店舗側携帯端末４との通信を行うことも可能である。
【００３８】
読取部４２は会員側携帯端末２における読取部２１と同様にＣＣＤ等のカメラが用いられる。読取部４２は会員側携帯端末２の表示部２４が表示している暗号コード（ＱＲコード（登録商標））を読み取る。
【００３９】
表示部４３は液晶パネル等によって形成されることにより所定のデータを可視表示する。この実施形態における表示部４３は、暗号コード及び会員識別コードを表示するものである。なお、表示する会員識別コードは、会員携帯端末２から直接送信されたものや会員カード７から読み取ったものではなく、デコード部４４がデコードした暗号コードから抽出した会員識別コードである。この実施形態において、表示部４３は会員識別コードをバーコードによって表示する。
【００４０】
デコード部４４は読取部４２が読み取った会員側携帯端末２の暗号コードをデコードすると共にこのデコードに加えて、暗号コードから会員識別コードを抽出する。例えば、暗号コード「１２３４５６７９９９９」の場合、デコード部４４はこの暗号コードから会員識別コードである「１２３４５」を抽出する。
【００４１】
制御部４５は以上の送受信部４１、読取部４２、表示部４３、デコード部４４の駆動を制御する。
【００４２】
店舗コンピュータ６は、送受信部６１、読取部６２、認証部６３、記録部６４、ポイント清算部６５及び制御部６６を備えている。店舗コンピュータ６としては、店舗が備えているＰＯＳ端末をそのまま使用することができる。
【００４３】
送受信部６１は店舗携帯端末４との通信を可能とするものである。また、送受信部６１は本部側のサーバー３とも通信可能となっており、本部側のサーバー３との間でデータアクセスが行われる。
【００４４】
読取部６２は店舗側携帯端末４が表示している会員識別コード及び会員カード７が表示している会員識別コードを読み取るものであり、一般商品に表示されているバーコードを読み取るバーコードリーダー６ａ（図１参照）がそのまま用いられる。従って店舗コンピュータ６としては、店舗に備え付けてあるコンピュータをそのまま用いることができる。なお、読取部６２としては、ＣＣＤカメラ等のバーコードリーダー以外のものであっても良い。かかる読取部６２による店舗側携帯端末４が表示している会員識別コード及び会員カード７が表示している会員識別コードの読み取りは、会員認証のときに行われるものである。
【００４５】
認証部６３は読取部６２が読み取った店舗側携帯端末４の会員識別コード及び会員カード７が表示している会員識別コードを比較して会員を認証する。この比較において、２つの会員識別コードが一致したとき、会員と認証し、不一致のとき、会員を認証しない。このような認証部６３は店舗側携帯端末４が抽出した会員側携帯端末２の会員識別コードが会員カードの会員識別コードと同じであることを認証するものであり、認証部６３は正規会員の認証によりその会員識別コードを表示している会員側携帯端末２をその会員の正規の端末であると認証する。
【００４６】
記録部６４は商品に関するデータ、金銭に関するデータ、その他のデータを格納する。この実施形態において、記録部６４は正規の会員であると認証部６３が認証した会員識別コードを記録する。記録した会員識別コードは、初回以後の２回目からの会員識別の際に用いられる。このため初回は会員カードの提示が必要であるが、正規の会員と認証された後においては、会員カードの提示が不要となる。
【００４７】
ポイント清算部６５は、認証部６３が正規会員と認証した後に、その会員のポイントを清算するものであり、例えば商品を購入した場合には、その商品価格に応じたポイントの減算を行う。
【００４８】
制御部６６は、以上の送受信部６１、読取部６２，認証部６３、記録部６４、ポイント制御部６５の駆動を制御する。
【００４９】
次に、この実施形態による認証シーケンスを図３により説明する。図３は初回の会員認証のシーケンスであり、初回の会員認証が終了した後は、このシーケンスは不要となり、２回目以降の認証は図４のシーケンスによって認証が行われる。
【００５０】
図３において、会員は会員側携帯端末２によって会員カード７の会員識別コード７ａを読み取る（ステップＳ１）。会員識別コード７ａはバーコードによって表示されており、このバーコード表示が読み取られる。会員側携帯端末２の変換部２２は読み取った会員識別コード７ａをカード発行企業に対する企業会員識別情報に変換する（ステップＳ２）。会員側携帯端末２は記録部２５内に複数のカード発行企業を格納しており、会員は複数のカード発行企業から会員カード７に対応したカード発行企業を選択する。図５は記録部２５に格納されている複数のカード発行企業８１〜８４を会員側携帯端末２の表示部２４が表示した状態を示し、会員はこの表示状態から会員カード７に対応したカード発行企業（○○メンバーズ８２）を選択する。これにより変換部２２は会員カード７の会員識別コード（例えば、「１２３４５」）とカード発行企業を関連付けて企業会員識別情報（例えば、「１２３４５６７」）に変換する。
【００５１】
会員側携帯端末２のエンコード部２３は企業会員識別情報を含む情報をエンコードして暗号コードを生成する（ステップＳ３）。エンコード部２３がＯＴＰを用いて暗号コードを生成する場合、例えば「１２３４５６７９９９９」の暗号コードを生成する。この暗号コードに基づいてマトリックス型２次元コード（ＱＲコード（登録商標））が生成され、生成されたマトリックス型２次元コードが会員側携帯端末２の表示部２４に表示される（ステップＳ５）。図１６はこの表示状態を示し、カード発行企業名と共に暗号コードとしてのＱＲコード（登録商標）が表示されている。
【００５２】
マトリックス型２次元コードの表示に先立ってまたは表示と共に、会員側携帯端末２の記録部２５は暗号コード（マトリックス型２次元コード）を記録する（ステップＳ４）。記録部２５に記録された暗号コード（マトリックス型２次元コード）は、図４に示す２回目以降の会員認証の際に用いられる。
【００５３】
店舗側携帯端末４においては、会員側携帯端末２が表示している暗号コードを読取部４２が読み取る（ステップＳ１１）。図７は店舗側携帯端末４が読み取った暗号コードを表示部４３が表示している状態を示す。
【００５４】
店舗側携帯端末４においては、読み取った暗号コードをデコード部４４がデコードし、暗号コードから会員識別コードを抽出する（ステップＳ１２）。例えば、暗号コード「１２３４５６７９９９９」の場合、デコード部４４はこの暗号コードから会員識別コードである「１２３４５」を抽出する。抽出した会員識別コードは店舗側携帯端末４の表示部４３に表示される。図８は表示部４３による会員識別コードの表示状態を示し、バーコードによって会員識別コードが表示されている。
【００５５】
店舗コンピュータ６の読取部６２（バーコードリーダー６ａ）は店舗側携帯端末４がバーコード表示している会員識別コードを読み取る（ステップＳ２１）。これと並行して読取部６２は会員カード７にバーコード表示されている会員識別コードを読み取る（ステップＳ２２）。これらのステップＳ２１及びＳ２２の読み取りは順序が逆であっても良い。
【００５６】
店舗コンピュータ６の認証部６３は、読取部６２が読み取った店舗側携帯端末４の会員識別コードと、会員カード７の会員識別コードとを比較する。比較の結果、２つの会員識別コードが一致したとき、会員（会員側携帯端末２）が正規の会員であると認証する。この認証により、記録部６４が会員識別コードを記録する。記録した会員識別コードは図４に示す２回目以降の会員認証の際に用いられる。
【００５７】
認証部６３が会員を認証した後においては、認証結果を店舗側携帯端末４に送信し、店舗側携帯端末４が認証結果を受信する（ステップＳ１４）。図９は送信された認証結果を店舗側携帯端末４の表示部４３が表示している状態を示し、会員識別コードがバーコード表示されている。
【００５８】
認証部が会員を認証した後、店舗コンピュータ６のポイント清算部６５がその会員のポイントを清算する。
【００５９】
このような実施形態によれば、会員側携帯端末２が会員識別コードから暗号コードを生成し、この暗号コードに基づいて会員認証を行うため、セキュリティが向上した認証が可能となる。また、会員側携帯端末２は暗号コードを表示するだけであり、この表示状態に対して店舗側携帯端末４が暗号コードを読み取って店舗コンピュータ６が認証を行うため、認証の際における会員側携帯端末２への操作負担が軽減され、認証時の煩わしさを解消することができる。しかも会員側携帯端末２に対してネットワーク通信機能が要求されることがないため、会員側携帯端末２の選択の自由度が拡大する。
【００６０】
さらに店舗コンピュータ６は店舗側携帯端末４が表示している会員識別コード及び会員カード７の会員識別コード７ａを読み取るだけであるから、暗号コードであるマトリックス型２次元コードを読み取るための機能が不要となり、交換やバージョンアップが不要となる。このため既存の店舗コンピュータをそのまま用いることができる。
【００６１】
図４は図３のシーケンスによって初回の認証が終了した後に、会員が店舗に訪れて２回目以降の会員認証を行うシーケンスを示す。
【００６２】
会員は会員側携帯端末２から利用するカード発行企業を選択することにより（ステップＳ００１）、表示部２４はその暗号コードを表示する（ステップＳ００２）。この暗号コードは、図３と同様にカード発行企業と会員カードの会員識別コードとを関連付けた企業会員識別情報を含む情報をエンコードすることにより形成されるものである。図１０はこの表示状態を示し、カード発行企業名と共に暗号コード（ＱＲコード（登録商標））が表示されている。
【００６３】
店舗側携帯端末４の読取部４２は会員側携帯端末２が表示している暗号コード読み取り（ステップＳ１０１）、デコード部４４は暗号コードをデコードして会員識別コードを抽出する（ステップＳ１０２）。抽出した会員識別コードは表示部４３によって表示される（ステップＳ１０３）。図１１は読取部４２が読み取った暗号コードであり、ＱＲコード（登録商標）そのままを表示部４３が表示する。図１２はデコードされ、会員識別コードが抽出されることにより表示部４３が表示している会員識別コードであり、バーコード表示されている。
【００６４】
店舗コンピュータ６の読取部６２（バーコードリーダー６ａ）は、店舗側携帯端末４がバーコード表示している会員識別コードを読み取る（ステップＳ２０１）。店舗コンピュータ６の認証部は初回の認証の際に記録部６４に記録した会員識別コードと、店舗側携帯端末４から読み取った会員識別コードとを比較して認証を行う（ステップＳ２０２）。比較の結果、これらの会員識別コードが一致したとき、正規の会員と認証しポイント清算部６５がポイント清算を行う（ステップＳ２０３）。
【００６５】
このような２回目以降の認証では、会員カード７が不要となり、会員側携帯端末２だけでの認証が可能となる。従って会員カード７を持参しなくても、或いは紛失しても会員の認証が可能であるため、商品の購入が可能となる。
【００６６】
以上の実施形態においては、会員側携帯端末２は会員カード７が表示している会員識別コード７ａを読み取っているが、これに限らず、会員識別コード７ａに対応した会員識別ＩＤを入力部２６の打ち込みによって入力しても良い。打ち込まれた会員識別ＩＤは会員識別コード７ａと同様に扱われて会員の認証に用いられる。すなわち会員識別ＩＤに基づいて企業会員識別情報が生成され、この企業会員識別情報を含む情報から暗号コードが生成される。そして、生成された暗号コードが店舗側携帯端末４のデコード部４４によってデコードされる。デコードの際には、会員識別ＩＤが抽出される。店舗コンピュータ６では、抽出された会員識別ＩＤと会員カード７に表示されている会員識別ＩＤとが比較されて会員の認証が行われる。
【符号の説明】
【００６７】
２  会員側携帯端末
４  店舗側携帯端末
６  店舗コンピュータ
７  会員カード
７ａ  会員識別コード
２１  読取部
２２  端末側ＯＴＰ生成部
２３  エンコード部
２４  表示部
２５  記録部
２６  入力部
４１  送受信部
４２  読取部
４３  表示部
４４  デコード部
６１  送受信部
６２  読取部
６３  認証部
６４  記録部
６５  ポイント清算部
【図１】
2014137727.tif 000003
【図２】
2014137727.tif 000004
【図３】
2014137727.tif 000005
【図４】
2014137727.tif 000006
【図５】
2014137727.tif 000007
【図６】
2014137727.tif 000008
【図７】
2014137727.tif 000009
【図８】
2014137727.tif 000010
【図９】
2014137727.tif 000011
【図１０】
2014137727.tif 000012
【図１１】
2014137727.tif 000013
【図１２】
2014137727.tif 000014